(57)【要約】      （修正有）【課題】狭い場所でも本体を簡単に固定出来て、尚かつ、本体が固定された姿勢に左右されることなく、必要な照射方向を保持でき、携帯し易い照明器具を提供する。【解決手段】小型電池を内蔵した照明器具の電源部と、ＬＥＤ３を使った発光部とを分離して、両部を可撓性を有する絶縁電線２で接続する。これにより、電源部を内蔵する本体を被固定部に固定した時、その本体が固定された姿勢に制約を受けることなく、絶縁電線を曲げて発光部を必要な方向へ向けることを可能にする。又、電源部を内蔵する本体の周縁に、絶縁電線と発光部を収納するための溝構造４を付加して、携帯し易くする。【選択図】図２
0003171960.tif 000002
【実用新案登録請求の範囲】
【請求項１】
電源部を内蔵する本体と、その電源を使用して発光する発光部と、前記の両部を電気的に接続する絶縁電線とで構成された照明器具であって、前記の絶縁電線に可塑性を有する導体を使用し、その絶縁電線を曲げることで、電源部を内蔵する本体の取付姿勢に影響されることなく、発光部の照射方向を任意に選べて、尚かつその照射方向を保持できることを特徴とする照明器具。
【請求項２】
請求項１の照明器具に於いて、電源部を内蔵する本体の周縁に、絶縁電線と発光部を収納するための溝構造を有する照明器具。
【請求項３】
請求項２の溝構造に於いて、先端のＬＥＤ収納部近傍の、上下樋間の開口溝を曲げてＬＥＤが溝から離脱するのを防ぐために、下方の樋先端部の幅を広げ、上方の樋先端部を切り欠いた溝構造を有する照明器具。
【考案の詳細な説明】
【技術分野】
【０００１】
本考案は、電気設備等の盤内や、その他の場所で局部照明に使用する携帯用照明装置のうち、被取付部に取り付けて用いられる小型の照明装置に関する。
【背景技術】
【０００２】
従来の携帯用照明装置には、使用者が保持したり、物の上に置いたり、或いは吊り下げて使用する等、種々のものがあるが、照射方向を調整できなかったり、狭い場所で使用したいのに大きすぎる等の難点があった。
【考案の概要】
【考案が解決しようとする課題】
【０００３】
狭い場所でも本体を簡単に固定出来て、尚かつ、本体が固定された姿勢に左右されることなく、必要な照射方向を保持したい。
【０００４】
又、発光部を小さくして、狭い場所等で使いたい。
【０００５】
又、不使用時には、小さくまとめて携帯し易くしたい。
【課題を解決するための手段】
【０００６】
電源部と、その電源を使用して発光する発光部と、前記の両部を電気的に接続する為の絶縁電線とで照明器具を構成する。
【０００７】
前記の絶縁電線には可塑性を有する導体を使用し、その絶縁電線を曲げることで、発光部の照射方向を任意に選べ、尚かつその照射方向を保持することを可能にする。
【０００８】
発光部にＬＥＤ素子を使用し、素子の端子片に絶縁電線の導体を直結することで、発光部の小型化や軽量化が可能になり、可塑性を有する導体自身を細くできる。
【０００９】
ＬＥＤ素子の保護と、絶縁電線とＬＥＤ端子片の接続部の電気的な絶縁対策として、収縮チューブを使用する。
【００１０】
電源に小型の電池を使えば、電源部及び発光部共に小型化が可能で、狭い場所でも利用し易いし、被取付部への固定方法の選択肢も増える。
【００１１】
本考案の照明器具に於いて、電源部を内蔵する本体の周縁に絶縁電線と発光部を収納する為の溝構造を形成し、この溝内に絶縁電線と発光部を収納して携帯し易くする。
【考案の効果】
【００１２】
本考案の効果は、狭い場所で任意の方向を照射できること、これは発光部が小型で軽量な為に、可塑性を有する絶縁電線のみで発光部の姿勢保持が可能になったことに依る。
【００１３】
又、電源部も、電池とスイッチとで構成され、全体が軽量化できるので、被取付部の選択肢が広がる。
【００１４】
例えば、鉄板面には磁石、鏡面には吸盤、木材面には両面テープ等、本体に具備する要素を替えることで、仮固定して使用する照明器具の利用範囲が広がる。
【００１５】
又、不使用時には、発光部と絶縁電線を本体の周縁に格納できるため、携帯性も優れている。
【図面の簡単な説明】
【００１６】
【図１】本考案の電気回路である。
【図２】本考案の使用状態時全体斜視図。
【図３】本考案の不使用時全体斜視図。
【図４】本考案の発光部を拡大した説明図。
【図５】本考案の本体に永久磁石を固定した斜視図。
【図６】本考案の溝構造改良案説明図
【考案を実施するための形態】
【００１７】
図１は本考案の実施例の電気回路図で、１は照明器具本体であり、小型電池１１と電源用スイッチ１２を内蔵する。
【００１８】
又、発光部にはＬＥＤ素子３を使用し、本体内の小形電池１１及び電源スイッチ１２と、発光部のＬＥＤ端子片３１及び３２間は可塑性を持った絶縁電線２で接続する。
【００１９】
図２は発光部のＬＥＤ３を任意の方向に向けて使用中の斜視図で、発光部のＬＥＤ３と絶縁電線２を本体１の周縁に設けた格納用溝構造４から引き出している。
【００２０】
又、図２では、電源スイッチ１２にオルタネート型のスライドスイッチを使用しているが、押しボタン形のスイッチも使える。
【００２１】
図３は不使用時の斜視図で、発光部のＬＥＤ３と絶縁電線２を本体１の周縁に設けた格納用溝構造４に収納している。
【００２２】
又、図３で示す発光部を収納した状態のまま使用することもあり得る。
【００２３】
図４には発光部のＬＥＤ３と絶縁電線２の接続状態拡大図Ａと、ＬＥＤ３の外装と、ＬＥＤ端子片３１，３２と絶縁電線２の接続部分を保護するための発光部保護膜５を示した拡大図Ｂを併記している。
【００２４】
図４のＡの端子片３１，３２と絶縁電線２の各芯線の接続には、半田付け等の機械的強度の大きい接続法を採用する。
【００２５】
現在想定している保護膜は、市販の収縮チューブであるが、ＬＥＤ素子３の端子片３１，３２と絶縁電線２の接続部を曲げ応力等から守るために、保護膜内にプラスチック樹脂等を注入して固化させることも有効である。
【００２６】
図５は照明器具本体１の取付面を示した斜視図であるが、被取付面が鉄材なら本体１に永久磁石６を具備しておけば、簡単に仮固定が出来る。
【００２７】
尚、取付可能箇所を増やす目的から、図５の永久磁石６に替えて、鏡面用に吸着盤、木材面用に両面テープ、或いは吊り下げ紐を具備しても良い。
【００２８】
図６は、本考案の格納用溝構造４の改良型を示した全体斜視図Ｃと、改良部を拡大した斜視図Ｄである。
【００２９】
拡大図Ｄに、格納用溝構造４の先端部分で格納用溝を曲げてＬＥＤ素子３が格納用溝外に飛び出すのを防ぐ目的で、下方の樋の先端４１の幅を拡張している一例を示す。
【００３０】
勿論、上方樋の先端４２も溝幅確保の目的で斜めに切除される。
【符号の説明】
【００３１】
１  照明器具本体
１１  電源用電池
１２  電源スイッチ
２  ２芯の絶縁電線
３  ＬＥＤ素子
３１  ＬＥＤ素子端子片（＋）
３２  ＬＥＤ素子端子片（−）
４  格納用溝構造
４１  下方樋の先端部
４２  上方樋の先端部
５  発光部保護膜
６  永久磁石
【図１】
0003171960.tif 000003
【図２】
0003171960.tif 000004
【図３】
0003171960.tif 000005
【図４】
0003171960.tif 000006
【図５】
0003171960.tif 000007
【図６】
0003171960.tif 000008